(57)【要約】【課題】  メダルを遊技機へ供給する貸機であって、貸機から払い出されるメダルをメダル受皿近くで一時貯えることも、メダル受皿へ直接移動させることも、一時貯えたメダルを容易且つ迅速にメダル受皿へ移載させることができる。【解決手段】  メダルホッパーＭＨから払出機ＨＤで払い出し、その払出路ＭＲのメダルを貸機前面に取付けられたメダル送出シュート２４へ送り出し、同メダル送出シュート先端は隣接した遊技機Ｙのメダル受皿ＹＳ位置まで延伸可能とし、前記メダル送出シュート２４の先端にはメダルを貯える小トレイ部２５を設け、しかも小トレイ部の側壁を構成する部材の一部が前記メダル受皿ＹＳに向けて開放可能の構造とし、前記小トレイ部２５の長さが調整可能で、貯えるメダル数を増減できる。【選択図】図１
2018042912.tif 000002
【特許請求の範囲】
【請求項１】
メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出し、同メダル送出シュート先端は隣接した遊技機のメダル受皿位置まで延伸可能としたメダル貸機に於いて、
前記メダル送出シュートの先端にはメダルを貯える小トレイ部を設けたものであり、しかも前記小トレイ部の側壁を構成する部材の一部が前記メダル受皿に向けて開放可能の構造とし、小トレイ部でメダルを貯えるか開放された側壁の位置からメダル受皿へ吐出するか切替えることができることを特徴とする、メダル貸機。
【請求項２】
前記小トレイ部の長さが調整可能で、貯えるメダル数を増減できる、請求項１記載のメダル貸機。
【請求項３】
貸機前面から前記メダル送出シュートの先端までの長さが調整可能とし、しかも同メダル送出シュートは中間で左右方向に屈曲可能又は湾曲可能とした構造とした、請求項１又は２記載のメダル貸機。
【請求項４】
貸機前面に貸機内の払出路に接続された筒状のメダル払出ノズルを前方下向きに突出するように固設し、同メダル払出ノズルの筒状の先端部にメダル送出シュートの筒状の基端部を嵌合して脱着可能に連結できる構造とし、形状長さが異なるメダル送出シュートに交換して連結することで、メダル送出シュートの先端までの長さ及び先端位置を調整できるようにした、請求項１又は２記載のメダル貸機。
【請求項５】
前記メダル払出ノズルの先端部に前記メダル送出シュートの基端部を嵌合する長さを前後方向に調整できるようにし、嵌合位置の調整でメダル送出シュートの先端までの長さを調整可能とした、請求項４記載のメダル貸機。
【請求項６】
メダル払出ノズルの先端部及びメダル送出シュートの基端部の嵌合部分の形状が角筒状である、請求項４又は５記載のメダル貸機。
【請求項７】
貸機前面に設けた連絡通路ブロックの前面に前記メダル払出シュートを前方下向きに突設させ、同連絡通路ブロック内部に貸機内の前記払出路のメダルを前記メダル払出シュートへ送り出す誘導路を設けた構造で、同メダル払出シュートの筒状の先端部にメダル送出シュートの基端部を嵌合して脱着可能に連結したものであって、複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロック上部に前記メダル投入管が前後に所定巾の移動を許容する管収納空間を確保し、同管収納空間に前記メダル投入管を嵌入し、メダル投入管を前後方向に進退可能とした、請求項４〜６いずれか記載のメダル貸機。
【請求項８】
前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造とした、請求項７記載のメダル貸機。
【請求項９】
前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、請求項８記載のメダル貸機。
【請求項１０】
貸機前面に設けた連絡通路ブロックの前面に前記メダル払出シュートを前方下向きに突設させ、同連絡通路ブロック内部に貸機内の前記払出路のメダルを前記メダル払出シュートへ送り出す誘導路を設けた構造で、前記メダル払出シュートの筒状の先端部に前記のメダル送出シュートの基端部を嵌合して脱着可能に連結したものであって、上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けたことを特徴とする、請求項４〜６いずれか記載のメダル貸機。
【請求項１１】
前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、請求項１０記載のメダル貸機。
【発明の詳細な説明】
【技術分野】
【０００１】
本発明は、スロットル等の遊技場でメダルを使った遊技機に隣接して配置されてメダルを貸出すメダル貸機であって、紙幣投入及び貸出ボタンの操作によってホッパーに貯えているメダルを所要枚数だけ貸機前面に設けたメダル送出シュートに払い出し、メダルを遊技機のメダル受皿へ送り出すメダル貸機のメダルシュートの構造に関する。
【背景技術】
【０００２】
メダル貸機が払出すメダルを、筒状のメダル送出シュートを介して遊技機のメダル受皿へ直接供給する構造のメダル貸機としては、特許文献１，特許文献２，特許文献３，特許文献４及び特許文献５が知られている。
いずれの特許文献１〜４の発明も、貸機から払い出されるメダルはメダル送出シュートのシュート先端が開放され、直接隣接する遊技機のメダル受皿へ直接投入されるものであった。
しかし、遊技機のメダル受皿に多くのメダルが貯えられている場合、メダル送出シュートからのメダルがメダル受皿から零れる可能性があり、払出機で払出されたメダルを直ちにメダル受皿の投入させないでメダル送出シュートの空間に保有させることが好ましいものであり、そしてメダル受皿の状況が良ければメダル送出シュートからメダル受皿へ移送させることを可能にすることが望まれていた。
【０００３】
しかし、前記特許文献１〜４のメダル送出シュートは払出したメダルは直接メダル受皿へ投入するもので、メダル受皿からメダルが零れる可能性があった。
更に，メダル貸機と隣接して配置される遊技機との島台での配置関係又は遊技機の大きさ・寸法が違うものが交換配置される場合等において、貸機前面から遊技機のメダル受皿までの前後・左右の長さが大きく変化した場合において、メダル送出シュートの伸縮・屈曲のみの対応では限界があって、メダル貸機の前面に取付けるメダルシュートの構造寸法・長さが異なるものに全面的に交換しなくてはならない場合があった。
【０００４】
更に、特許文献５には貸機の前面に開口したメダル払出口から吐出されるメダルをスラット状の複数の案内部材を一部重ねるように連接して屈曲可能なメダル払出路を形成し、同メダル払出路を滑らせて先端の皿状部まで送り出す構造のものが開示されている。しかしながら、特許文献５の先端の皿状部は低位置にあるスロットル機の遊技機のメダル受皿と、高い位置にある遊技機のメダル投入口とは大きな高低差があり、その中間の高さの位置で保持される。このように、貸機から払い出されたメダルをメダル払出器の先端の皿状部で遊技機のメダル投入口に近い高い位置にメダルを貯えることで、スロットル機でのメダルの投入作業が小さな高低差のメダルの持ち上げ・投入することで、遊技機のメダル投入を楽にさせることに利点が認められる。
【０００５】
一方、この引用文献５の発明のメダル払出器で送られるメダルは、遊技機のメダル受皿近くまで直接送り込まれるものでない。そのため、特許文献５の皿状部に送り込まれた払出メダルは、遊技機のメダル受皿へ移動させるには、メダル受皿に貯えられたメダルを手で握ってかなり下方のメダル受皿へ移しかえなくてはならない。逆に、メダル受皿に貯えられたメダルを従来通り遊技機のメダル投入口まで手で握って投入するには中間位置の皿状部がかえって邪魔となってしまう。一旦、中間高さ位置にある皿状部に移しかえることもできるが、メダル投入操作が二度手間となるという欠点がある。更に、この引用文献５のメダル払出路の自重及びこれに貯えたメダルの重量とはその基端のリンク機構で支持するため、前記重量のモーメントは全て片持ちのリンク機構に荷重される。そのため、メダル払出路を長くすると案内部材の枚数が増加し重量が大きくなり、基端のリンク機構に大きな荷重・モーメントが負荷してリンク機構が破損し易いと判断される。特に、先端の皿状部にはメダルが貯まり、しかも空中に浮くように支持されているのでこのメダルを手で握って遊技機のメダル投入口まで運ぶため、その操作中にこの先端の貯部の皿状部には手の重み・手からの加圧力が作用するので、リンク機構がこれらの力による荷重・モーメントで破損し易いものとなっている。
【先行技術文献】
【特許文献】
【０００６】
【特許文献１】特開２００６−１３６４０３号公報
【特許文献２】特開２００８−４８８８９号公報
【特許文献３】特開２００４−１９５０７５号公報
【特許文献４】特開２００７−２９５１６号公報
【特許文献５】特開２０１３−３９２３４号公報
【発明の概要】
【発明が解決しようとする課題】
【０００７】
本発明が解決しようとする課題は、従来のメダル貸機の問題点を解消し、貸機から払い出されるメダルをメダル送出シュートで遊技機のメダル受皿近くの先端の小トレイ部まで送ってここで一時貯えることも、又小トレイ部に送られるメダルを小トレイ部の一部側壁を開放することでメダル受皿へ直接移動させることも、あるいは小トレイ部に貯まったメダルを所要の時点で側壁を開放して指によるメダル押し込み操作のみで小トレイ部のメダルを容易且つ迅速にメダル受皿へ移載させることができることにある。加えて、メダル送出シュートの取付強度が高く、同シュートに対する大きい上下左右の荷重及び戻りモーメントに対し耐えて破損しにくい構造のものとすることにある。本発明の別の課題は、従来の問題点を解消し、払出すメダルのメダル送出シュートと近接して貸機のメダル投入口を設けてこれらの設置個所を集約し、しかもメダル投入口への異物の投入を抑えられ、更にメダルのメダル投入口への投入時のメダル零れを少なくできるメダル貸機を提供することにある。
【課題を解決するための手段】
【０００８】
かかる課題を解決した本発明の構成は、
１）  メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出し、同メダル送出シュート先端は隣接した遊技機のメダル受皿位置まで延伸可能としたメダル貸機に於いて、
前記メダル送出シュートの先端にはメダルを貯える小トレイ部を設けたものであり、しかも前記小トレイ部の側壁を構成する部材の一部が前記メダル受皿に向けて開放可能の構造とし、小トレイ部でメダルを貯えるか開放された側壁の位置からメダル受皿へ吐出するか切替えることができることを特徴とする、メダル貸機
２）  前記小トレイ部の長さが調整可能で、貯えるメダル数を増減できる、前記１）記載のメダル貸機
３）  貸機前面から前記メダル送出シュートの先端までの長さが調整可能とし、しかも同メダル送出シュートは中間で左右方向に屈曲可能又は湾曲可能とした構造とした、前記１）又は２）記載のメダル貸機
４）  貸機前面に貸機内の払出路に接続された筒状のメダル払出ノズルを前方下向きに突出するように固設し、同メダル払出ノズルの筒状の先端部にメダル送出シュートの筒状の基端部を嵌合して脱着可能に連結できる構造とし、形状長さが異なるメダル送出シュートに交換して連結することで、メダル送出シュートの先端までの長さ及び先端位置を調整できるようにした、前記１）又は２）記載のメダル貸機
５）  前記メダル払出ノズルの先端部に前記メダル送出シュートの基端部を嵌合する長さを前後方向に調整できるようにし、嵌合位置の調整でメダル送出シュートの先端までの長さを調整可能とした、前記４）記載のメダル貸機
６）  メダル払出ノズルの先端部及びメダル送出シュートの基端部の嵌合部分の形状が角筒状である、前記４）又は５）記載のメダル貸機
７）  貸機前面に設けた連絡通路ブロックの前面に前記メダル払出シュートを前方下向きに突設させ、同連絡通路ブロック内部に貸機内の前記払出路のメダルを前記メダル払出シュートへ送り出す誘導路を設けた構造で、同メダル払出シュートの筒状の先端部にメダル送出シュートの基端部を嵌合して脱着可能に連結したものであって、複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロック上部に前記メダル投入管が前後に所定巾の移動を許容する管収納空間を確保し、同管収納空間に前記メダル投入管を嵌入し、メダル投入管を前後方向に進退可能とした、前記４）〜６）いずれか記載のメダル貸機
８）  前記メダル投入管のメダル投入口の左又は右の口縁に前方に引出された位置で前記メダル投入口を閉鎖する蓋体を枢着するとともに、同蓋体が閉鎖状態でメダル投入管を貸機前面開口を通して前後に進退可能な構造とした、前記７）記載のメダル貸機
９）  前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、前記８）記載のメダル貸機
１０）  貸機前面に設けた連絡通路ブロックの前面に前記メダル払出シュートを前方下向きに突設させ、同連絡通路ブロック内部に貸機内の前記払出路のメダルを前記メダル払出シュートへ送り出す誘導路を設けた構造で、前記メダル払出シュートの筒状の先端部に前記のメダル送出シュートの基端部を嵌合して脱着可能に連結したものであって、上方に複数枚のメダルを同時に投入できる開口面積のメダル投入口と、同メダル投入口から投入されるメダルを受け止めて所定の下方位置へ傾斜面で誘導するメダル受面と、同メダル受面の前記の誘導される位置に設けたメダル落下口と、前記メダル投入口の側方口縁に起立可能に取付けられた前記メダル投入口を閉鎖する蓋体とを有する受皿状のメダル投入器を別体として備え、前記の連絡通路ブロック上部に前記メダル投入器を前記蓋体を閉じた状態で前後方向に進退自在に取付け、
更に、前記メダル投入器のメダル落下口の下方位置の連絡通路ブロックの内部に落下したメダルを貸機内の回収路へ送るメダル排出路を設けたことを特徴とする、前記４）〜６）いずれか記載のメダル貸機
１１）  前記メダル投入器が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、前記１０）記載のメダル貸機
にある。
【発明の効果】
【０００９】
本発明によれば、貸機内の払出機から払い出されるメダルはその払出路からメダル送出シュートに送られるが、このメダル送出シュートの先端には小トレイ部があって、払出されたメダルは小トレイ部の側壁を開放しない状態では一時的にこの小トレイ部で貯えられる。
小トレイ部のメダルは、小トレイ部の一部壁面が開放可能であり、開放操作すればメダル送出シュート及び小トレイ部のメダルを自動的に又は軽い指操作でメダル受皿へ容易且つ迅速に移行できる。
もし、メダル受皿がメダルが多数貯えられていてメダルを移載させない方がよい場合は、開放操作せずに小トレイ部を開放せずにメダルを貯えたままにすればよい。この場合、メダル受皿がメダルで満杯になれば小トレイ部の側壁を開放から閉鎖操作することで小トレイ部を閉じた貯部にでき、払出メダルがメダル受皿から溢れて零れないようにできる。尚、このように満杯になったメダル受皿のメダルは、貸機のメダルカウント回収用のメダル投入口へ投入して減らす処理をすればよい。
【００１０】
更に、小トレイ部の長さ（面積）が調整できれば、小トレイ部に貯えるメダル数を調整できるので、小トレイ部に適切な数のメダルを一時貯えるようにできる。
【００１１】
メダル送出シュートの基端部を、貸機前面に突出するように固設した筒状のメダル払出ノズルの先端部に嵌合して脱着可能に連結するものは、貸機の配置・遊技機との距離に応じたメダル送出シュートの長さ・屈曲・小トレイ部の形・寸法が適切な形状・寸法のメダル送出シュートに脱着によって変更ができ、現場・製品に応じた貸機による適したメダル供給ができるものとなる。
しかも、筒状のメダル払出シュートの先端部にメダル送出シュートの基端部が嵌合できるように同じ筒状形状であり、これらを嵌合して所定の嵌合長さで脱着可能に連結する構造であるので、メダル送出シュートの自重及びメダルの荷重及びメダル出入れの手の操作力・曲げモーメントがメダル送出シュートの基端部に荷重されても、それらの先端部・基端部は筒状であり、嵌合しているので二重筒状態で筒の外周・内周面は密着し、しかも所定の嵌合長さで連結している。加えて、メダル払出シュートは貸機前面に固設されるものであるから、メダル送出シュートの基端部は鉛直方向及び左右方向の荷重及び曲げモーメントに充分耐える強い強度を確保できる。よって、自重・メダル重み及び手の加圧力がメダル送出シュートに働いても、変形・変位及び破損することない高い強度を有する。
更に、メダル送出シュートがメダル払出ノズルの脱着自在に連結でき、しかもその嵌合位置を前後に調整できるものではノズル方向の長さを容易に変更できて、メダル送出シュートの先端までの長さを簡易に調整できるものとなる。
【００１２】
又、メダル送出シュートを取付けるための連絡通路ブロックの上部にメダル投入管を設けたものでは、メダル払出・メダル送出シュートの他にメダルを貸機に回収するメダル投入口をコンパクトに貸機前面に設けることができる。更に、メダル投入口がメダル送出シュートの上方にあるので、メダル投入がシュートに妨げられることなく容易且つ迅速にメダル投入できる。
【００１３】
特に、メダル投入管が連絡通路ブロックに前後に進退自在にすることによって、前方へ引出すことでメダル投入管のメダル投入口を長くしてメダルの投入時の投入口面積を広くして、メダルの零れによるメダルの床・棚への落下を少なくできる。しかもそのメダル投入口に蓋体を設け、前に引出して蓋体を略垂直状態にできれば、メダルをメダル投入口から零れることを更に少なく投入できる。
【００１４】
更に、メダル投入口に蓋体がある場合、メダル投入しないときは蓋体を閉じてメダル投入管を後方へ押し込むことで蓋体がメダル投入口を強制閉鎖することとなるので、メダル投入口からタバコ吸殻・ティッシュ等の異物の投入を防ぐことができる。
【００１５】
又、同様に連絡通路ブロックの上方に蓋付メダル投入器を前後に進退自在に取付けたものでも、前方に引出すことでメダル投入口の面積を大きくして、メダルの零れを少なくできる。又、蓋体を閉じて後方に押し込むことで、メダル投入口を蓋体で強制閉鎖され、異物の投入を少なくできる。
【００１６】
この発明では、メダル送出シュートの払出機能及びメダル投入口を有するメダル投入管又はメダル投入器とを共通の連絡通路ブロックに集約したことで、メダルの払出しと投入回収の構造をコンパクトにできた。
【００１７】
本発明のメダル投入管又はメダル投入器は、メダル投入口の下方に傾斜したメダル受面を有するので、メダルはその傾斜で滑ってメダル受面の下方に設けた排出路・吐出路を介して貸機内の回収路へ送り込まれる。一方、ティッシュ・タバコ吸殻・チューインガム等の異物が投入されてもメダル受面で止まって、それより下方へ落下しにくいので異物はこの傾斜したメダル受面で残留し、メダル投入口から異物を手作業で簡単に排除できる。
【００１８】
本発明でメダル投入口の蓋体が前方に引出した状態でメダル投入口の左又は右の口縁上方に略垂直に立上がらせることができるメダル投入口又はメダル投入器では、手に握ったメダルをメダル投入口へ投入するときメダル投入口の口縁の外へ零れるメダルを略垂直状態の蓋体が防いで、メダル投入口の外に零れるメダルを少なくしている。
【００１９】
本発明でメダル送出シュートをメダル払出シュートと脱着自在に連結するものでメダル送出シュートの形状・寸法が異なるものに変更でき、メダル貸機の隣に設置の遊技機のメダル受皿との距離が現場で違っても、シュート長さ・形状を異にするメダル送出シュートを使用することで、小トレイ部をメダル受皿に近接した位置にでき易くなる。
【図面の簡単な説明】
【００２０】
【図１】図１は実施例１のメダル貸機の遊技店での設置を示す説明図である。
【図２】図２は実施例１の基本構造を示す説明図である。
【図３】図３は実施例１の要部である連絡通路ブロックとメダル投入管とメダル送出シュートとその先端の小トレイ部とを示す説明図である。
【図４】図４は実施例１のメダル送出シュートの伸縮・屈曲・小トレイ部の長さ調整と開放の構造及びメダル投入口の蓋の垂直状態の全体を示す説明図である。
【図５】図５は実施例１の要部の連絡通路ブロックにおけるメダル投入管とメダル送出シュートの基端部を示す斜視図である。
【図６】図６は実施例１の連絡通路ブロックとメダル投入管の構造を示す分解説明図である。
【図７】図７は実施例１の連絡通路ブロックの一部切欠構造説明図である。
【図８】図８は実施例１の連絡通路ブロックの平面図である。
【図９】図９は図８のＡ−Ａ断面図である。
【図１０】図１０は図８のＢ−Ｂ断面図である。
【図１１】図１１は実施例１のメダル投入管の一部切欠斜視図である。
【図１２】図１２は実施例１のメダル投入管の平面図である。
【図１３】図１３は図１２のＡ−Ａ断面図である。
【図１４】図１４はメダル投入管のメダル受面を示す説明図である。
【図１５】図１５は実施例１の払出路のメダルのメダル送出シュートまでのメダルの移動を示す説明図である。
【図１６】図１６は実施例１のメダル投入口へメダルを投入している状態を示す斜視図である。
【図１７】図１７は実施例１のメダル投入管でのメダルの移動を示す説明図である。
【図１８】図１８は実施例１のメダル投入管を後方に退却させた状態を示す説明図である。
【図１９】図１９は実施例１のメダル投入シュートの先端の小トレイ部を開放してメダルをメダル受皿へ移動している状態を示す説明図である。
【図２０】図２０は実施例１の小トレイ部の長さ調整機構と、開放機構を示す説明図である。
【図２１】図２１は実施例１のメダル送出シュートの分解斜視図である。
【図２２】図２２は実施例１のメダル送出シュートを伸長した状態の斜視図である。
【図２３】図２３は実施例２のメダル貸機の遊技店での設置を示す説明図である。
【図２４】図２４は実施例２の基本構造を示す説明図である。
【図２５】図２５は実施例２の要部である連絡通路ブロックとメダル投入器とメダル送出シュートとその先端の小トレイ部とを示す説明図である。
【図２６】図２６は実施例２のメダル送出シュートの伸縮・屈曲・小トレイ部の長さ調整と開放の構造及びメダル投入口の蓋の垂直状態の全体を示す説明図である。
【図２７】図２７は実施例２の要部の連絡通路ブロックにおけるメダル投入器とメダル送出シュートの基端部を示す斜視図である。
【図２８】図２８は実施例２の連絡通路ブロックとメダル投入器の構造を示す分解説明図である。
【図２９】図２９は実施例２の連絡通路ブロックの一部切欠構造説明図である。
【図３０】図３０は実施例２の連絡通路ブロックの平面図である。
【図３１】図３１は図３０のＡ−Ａ断面図である。
【図３２】図３２は図３０のＢ−Ｂ断面図である。
【図３３】図３３は実施例２のメダル投入器の一部切欠斜視図である。
【図３４】図３４は実施例２のメダル投入器の平面図である。
【図３５】図３５は図３４のＡ−Ａ断面図である。
【図３６】図３６は図３４のＢ−Ｂ断面図である。
【図３７】図３７は実施例の払出器のメダルのメダル送出シュートまでのメダルの移動を示す図面である。
【図３８】図３８は実施例２のメダル投入口へメダルを投入している状態を示す斜視図である。
【図３９】図３９は実施例２のメダル投入器でのメダルの移動を示す説明図である。
【図４０】図４０は実施例２のメダル投入器を後方に退却させた状態を示す説明図である。
【図４１】図４１は実施例２のメダル送出シュートの先端の小トレイ部を開放してメダルをメダル受皿へ移動している状態を示す説明図である。
【図４２】図４２は実施例２の小トレイ部の長さ調整機構と、開放機構を示す説明図である。
【図４３】図４３は実施例２のメダル送出シュートの分解斜視図である。
【図４４】図４４は実施例２のメダル送出シュートを伸長した状態の斜視図である。
【図４５】図４５は本発明の寸法長さを短くしたメダル払出ノズルに脱着自在としたメダル送出シュートの他の例を示す説明図である。
【発明を実施するための形態】
【００２１】
本発明の連絡通路ブロック１はプラスチックで一体成型し、又メダル投入管２０及び蓋体２３とは別体のプラスチック製で一体成型するのがよい。又、メダル送出シュート２４もシュート筒２４１，小トレイ固定部２５１を有する回動シュート２４４，開放ゲート２５２ｃを除いた小トレイスライド部２５２は別体でプラスチックの一体成型するのがよい。
【００２２】
又、本発明のメダル投入管にはそのメダル投入口に蓋体を取付ける場合と、メダル投入口に蓋体を取付けず常時開放させる場合もあるが、前者の蓋体がある方が異物の投入を少なくできるので好ましい。
【００２３】
本発明のメダル送出シュート２４は連絡通路ブロックの前面に固設する場合と、前面に脱着自在とする場合がある。又、実施例の機構構造に限定するものでなく、もっとシンプルな他の機構のものでもよい。
【００２４】
本発明では、メダル貸機に遊技で使用したメダルを貸機内にメダル投入して貸機に回収できるようにするだけの場合と、メダル貸機にメダル投入口を設けて投入したメダル枚数を電子的に記録する場合とがある。
【実施例】
【００２５】
本発明の実施例として、図１〜図２２に示す実施例１のメダル貸機Ｇ１のように、メダル投入口を有し、前後動する蓋体付メダル投入管を、メダル払出ノズルを突設させた連絡通路ブロックに上部に設け、メダル投入を可能にする実施例１と、実施例１のメダル投入管に代え、前後動する蓋体付メダル投入器を設けた図２３〜図４４に示す実施例２のメダル貸機Ｇ２とを説明している。いずれの実施例１，２ともに本発明の要部であるメダル送出シュートの先端に小トレイ部を有し、同小トレイ部の一部側壁をメダル開閉ゲートとして開閉操作可能とし、しかも小トレイ部は小トレイ固定部と小トレイスライド部に分れてスライドして小トレイ部の長さを調整可能としている。又、角筒状のメダル払出ノズルの先端部にメダル送出シュートの基端部の角筒状シュート筒を嵌合してメダル送出シュートを脱着可能に連結する構造であり、しかもその嵌合位置を調整することで同シュート長さが調整でき、しかも次の回動シュート部材との間で回動可能にした構造である。
実施例１と実施例２とも、本発明の要部で略同一の構造のメダル送出シュートの先端に小トレイ部を有する。このメダル送出シュート・小トレイ部等の構成の符号は共通している。メダル投入する構造が実施例１のメダル貸機Ｇ１ではメダル投入管を使用し、実施例２のメダル貸機Ｇ２ではメダル投入器を使用して異なっている。
【００２６】
（実施例１）
本発明の実施例１のメダル貸機Ｇ１を、図１〜２２の図面に基づいて説明する。
本実施例１は、長靴状メダル投入管２０のメダル投入口２０ａの口縁にメダル投入口２０ａを閉鎖する蓋体２３が垂直に起立可能に枢着し、しかもメダル投入管２０のメダル投入口２０ａ下方のメダル受面２１は前方が高く、後方が低くなるようにし、又貸機払出機ＨＤから払出されるメダルは連絡通路ブロック１内のメダル誘導路１１を経てメダル払出ノズルに送られ、メダル払出ノズルとメダル送出シュートの嵌合位置で長さが調整でき、しかもメダル送出シュートは中間で屈曲自在で更に先端の小トレイ部でスライド自在で一端が開放自在なメダル開放ゲート２５２ｃを枢着した小トレイ部２５を設けた例である。
【００２７】
主に図３，５，６，７〜１４に本実施例１のメダル貸機Ｇ１の要部であるメダル投入口があるメダル投入管とメダル送出シュートと連絡通路ブロックの構造を示している。
主に図３，４，１５，１９〜２２は実施例のメダル送出シュートの構造を示している。
そして、図１，２はメダル貸機の内部の基本構造を示す図面である。
【００２８】
（符号の説明）
実施例１の図１〜２２において、Ｇ１は実施例１のメダル貸機、ＭＨは同メダル貸機Ｇ１内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ１の細長の貸機ケーシング、ＭＣＯＮはメダル貸機Ｇ１にメダルを供給する上方に配置されたメダル供給コンベア、ＭＳはメダル供給コンベアのメダルをメダル貸機Ｇ１へ送り出すメダル補給路、ＭＣはメダル貸機Ｇ１内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ１の前面に設けた紙幣投入部、ＫＤＩＳはメダル枚数等を表示する表示器、ＫＣＯＮは貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読書装置を示す。Ｙは遊技機、ＹＳはそのメダル受皿である。
【００２９】
図中、１はプラスチック製で一体成型された連絡通路ブロック、１０は連結通路ブロック１のブロック外周壁、１１はその内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止穴、１３は連絡通路ブロック１内に設けた長靴状のメダル投入管２０を収納する管収納空間、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビス、１９はメダル投入管２０の押し込めをその垂直管部２０ｂと当って停止させる当板である。
【００３０】
図中、２０は前記管収納空間１３に収納された長靴状メダル投入管、２０ａはその上方のメダル投入口、２０ｂはメダル受面２１の傾斜した下周縁から落下するメダルを案内するメダル投入管２０の垂直管部、２０ｃは同垂直管部の下端からメダルを後方下向きに貸機内の前記回収路ＫＡＩＲへ送り出す傾斜管部、２０ｄは前記垂直管部２０ｂの通路と傾斜管部２０ｃの通路とから形成されるメダル吐出路である。２１はメダル投入管２０のメダル投入口２０ａの下方途中に設けた前方が高く後方が低く且つメダル投入口の右側口縁壁に向って左右に傾斜したメダル受面、２２はメダル投入管２０の下方にあるメダル吐出路２０ｄのメダル排出口、２３はメダル投入口２０ａに枢着した蓋体、２３１は同蓋体を枢着する枢着ピン、２３２は蓋体２３側に設けた枢着ピン２３１のピン受、２３３はメダル投入口２０ａの口縁に設けたピン軸支部、２３４は蓋体２３の側端を少し張り出した把手部である。
【００３１】
２４は連絡通路ブロック１の前部で前方下向きに突出したメダル払出ノズル１２に嵌合して取付けたメダル送出シュートである。２４１はメダル送出シュートの上端側を構成するメダル払出ノズル１２に嵌装する角筒状のシュート筒、２４２は同シュート筒の後端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止穴１２１とピン係合してその長さを決めるシュート筒２４１の前部に設けた加圧片である。
【００３２】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアームを加圧して脱落しないように連結する加圧片、２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイ部２５を形成する。
【００３３】
（払出メダルの流れ）
払出メダルの流れは主に図１〜１０，１５，１６，１９〜２２に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００３４】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５が係合するメダル払出ノズル１２の側面の複数ある係止穴１２１を選択することでメダル払出ノズルの長さを調整できる。
【００３５】
更に、メダル払出ノズル１２の先端の小トレイ部２５も小トレイスライド部２５２をスライドして所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００３６】
更に、小トレイ部２５の先端にはメダル開放ゲート２５２ｃが開閉自在に枢支されている。通常は開放ゲート２５２ｃを降ろして小トレイ部２５の先端トレイ側壁を形成し、小トレイ部２５でメダルｍを一時貯えられるようにする。小トレイ部２５のメダルを遊技機Ｙのメダル受皿ＹＳへ移載するときはゲート枢支軸２５２ｄまわりに回転させて開放ゲート２５２ｃを上方に持ち上げれば、小トレイ部２５のメダルはその開放ゲート２５２ｃが持ち上げられて側壁のない吐出口２５２ｅからメダル受皿ＹＳへ移動が容易にできる。
又は、貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の位置をメダル受皿ＹＳのやや上方で近接させ、その開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００３７】
このように、メダル送出シュート２４はシュート筒２４１の進退による長さ調整と屈曲部２４３の回転角度調整及び小トレイ部２５のスライド調整することで、その先端の小トレイ部２５の位置を広い範囲で所定の位置に配置できる。これによって、メダル貸機Ｇ１と遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。調整で小トレイ部２５が適切な位置にできなければ、寸法形状が違う別のメダル送出シュート２４に交換して嵌合連結させる。
【００３８】
（メダル投入について）
メダル投入のメダルの流れ及び蓋の開閉とメダル投入管の動きは、主に図１，２，３〜８，１１〜１４，１６〜１８に示している。
ゲームを清算する場合、又はメダル受皿ＹＳのメダルが多くなってメダルをメダル貸機Ｇ１へ戻してメダル受皿ＹＳを空にしてメダル受け入れを可能にするためメダルを貸機に投入して、戻したメダルはメダルカウンターＭＣによってメダル情報として電気的に記憶処理するようにする場合、遊技者が使用したメダル受皿ＹＳ内のメダルｍをメダル貸機Ｇ１のメダル投入口２０ａへ投入する。通常、メダル投入口２０ａは図３，５，１５，１８，１９，２０に示すように蓋体２３で閉鎖されている。しかも、図１４に示すようにメダル投入管２０及びその蓋体２３とも貸機ケーシングＫＣ内にそれらの後部が挿入されるようになっている。蓋体２３の後部は貸機前面壁ＫＣＦの窓部１５から貸機内に挿入していて、蓋体２３の後方上面は窓部１５の上の内周縁に当って蓋体２３が上方向へ回動することを止めている。これによって、蓋体２３のメダル投入口２０ａの閉鎖状態を保持する。このように、蓋体２３はこの位置でメダル投入口２０ａを閉鎖状態に保持して異物の投入ができない状態となっている。
【００３９】
メダル投入口２０ａにメダルを投入する場合は、遊技者は図１６，１７に示すようにメダル投入管２０を前方に引出すと蓋体２３は窓部１５の上内周縁からの拘束がなくなり、蓋体２３は枢着ピン２３１まわりに回動して開くことができる。蓋体２３を回動する際、蓋体２３の中央右側にある把手２３４に指を掛けて指を持ち上げれば、蓋体２３は容易に回動できる。そして、蓋体２３が回動すると略垂直の位置でメダル投入口２０ａの後方口縁上方位置に突設させた押え枠板１７の蓋体垂直ストッパ片１７２に当って、垂直又はやや左側に少し傾く略垂直で保持される。
蓋体２３を開いて垂直の状態にして、手の平内に収めたメダルｍをメダル投入口２０ａに落下させる（図１６，１７参照）。メダル投入口２０ａを超えて左方向に落下するメダルは垂直な蓋体２３の内面に当って右方向に返されて、メダル投入口２０ａに落下すること及びメダル投入口２０ａも前方に長くなることでメダルの零れが少なく、メダルｍをメダル投入口２０ａへ確実に投入できる。
【００４０】
メダル投入口２０ａ内に落下したメダルｍは、図６，１１，１７，１８に示すように後方と右側に低くなるように傾いたメダル受面２１に落下し、その傾斜に従って後方・右側に滑りながらメダル投入管２０の後方のメダル吐出路２０ｄの垂直管部２０ｂを落下し、更にその下方の貸機内方向に傾斜管部２０ｃの先端のメダル排出口２２から貸機内のメダルカウンターＭＣへメダルを送る回収路ＫＡＩＲへ送り出す。
【００４１】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルは貸機下方に配装されたメダル回収コンベアＭＫＡＩへ送られる。
【００４２】
本実施例１のメダル貸機Ｇ１は、メダル投入口２０ａを前後させるのに、別体のメダル投入管２０を別体として連絡通路ブロック１の管収納空間１３内で前後移動させる構造であるので、連絡通路ブロック１と前後移動するメダル投入口２０ａとその蓋体２３の構造を一体的にする場合に比べて構造が簡素化され、製造・組立を容易にできる。又、連絡通路ブロック１に、メダル投入口２０ａとその排出路１０ｃ及び払出メダルのメダル誘導路１１と、その前面にメダル払出ノズル１２とメダル送出シュート２４とを設け、これら機能をコンパクトに集約している。
【００４３】
（実施例２）
以下、実施例２について説明する。
本発明の実施例２のメダル貸機Ｇ２を、図２３〜４４の図面に基づいて説明する。実施例１のメダル貸機Ｇ１との構造の違いは、実施例１のメダル投入管２０に代え、メダル投入器３０に置換した点にある。他は同様な構造・作用効果である。
本実施例のＧ２は、皿状のメダル投入器３０の上方のメダル投入口３０ａの口縁にメダル投入口３０ａを閉鎖する蓋体３３が垂直に起立可能に枢着し、同蓋体３３を閉じた状態で前後に進退できるようになっている。しかもメダル投入器３０のメダル投入口３０ａ下方に設けたメダル受面３１は前方が高く、後方が低くなるように傾斜させ、後方の低い位置にメダル落下口３１ａを設けている。
更に、前記皿状のメダル投入器３０は、連絡通路ブロック１を構成する縦の区画壁１０ａの区画壁上端１０ｂに支持され、前後に長い上方を開放した直方体容器に近い受皿状のメダル投入器３０を載置して支持し、メダル投入器３０の後方の下部に所定間隔離した二本の前後方向に延びたガイド片３０ｄを対向して垂設していて、同ガイド片３０ｄの間に連絡通路ブロック１の中間にある内部の前後に延びた縦の区画壁１０ａの上部に差し込んで、メダル投入器３０を前後方向に安定して進退自在としている。
【００４４】
主に図２５，２７，２８，２９〜３９に本実施例２のメダル投入口３０ａがあるメダル投入器３０と、メダル送出シュート２４と連絡通路ブロック１の構造を示している。一方、貸機払出機ＨＤから払出されるメダルは連絡通路ブロック１内のメダル誘導路１１を経て、メダル払出ノズル１２とメダル送出シュート２４との嵌合位置で伸縮自在とし、中間で屈曲自在で更に先端にスライド自在で一端が開放自在なメダル開放ゲート２５２ｃを枢着した小トレイ部２５を設けた例である。
主に図２５〜３０，３２，４０〜４４は実施例２のメダル送出シュート２４の構造を示している。このメダル送出シュート２４は実施例１のものと略同じで、符号も共通である。
そして、図２３，２４はメダル貸機Ｇ２の内部の基本構造を示す図面である。
【００４５】
（実施例２の図面の符号の説明）
図２３〜４４において、Ｇ２は実施例２のメダル貸機、ＭＨは同メダル貸機Ｇ２内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇ２の細長の貸機ケーシング、ＭＣＯＮはメダル貸機Ｇ２にメダルを供給する上方に配置されたメダル供給コンベア、ＭＳはメダル供給コンベアのメダルをメダル貸機Ｇ２へ送り出すメダル補給路、ＭＣはメダル貸機Ｇ２内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇ２の前面に設けた紙幣投入部、ＫＤＩＳはメダル枚数等を表示する表示器、ＫＣＯＮは貸機内の諸機器の制御及びメダルカウンターＭＣでの投入メダルのメダル枚数の記憶を含むメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読み書き装置を示す。Ｙは遊技機、ＹＳはそのメダル受皿である。これらの実施例２の図面の符号は、実施例１のものと同じにしている。
【００４６】
図中、１はプラスチック製で一体成型された連絡通路ブロック、１０は同連絡通路ブロック１のブロック外周壁、１０ａは連絡通路ブロック内部に設けた縦の区画壁、１０ｂはメダル投入器３０を前後に摺動させて支持する同区画壁１０ａの区画壁上端、１０ｃはメダル投入器３０のメダル落下口３１ａから下方に落下するメダルを貸機ケーシングＫＣ内のメダルの回収路ＫＡＩＲへ誘導して送る区画壁１０ａとブロック外周壁１０と貸機内に向って傾斜した滑面板１０ｄによって形成されたメダル排出路、１０ｄは滑面板、１０ｅは区画壁１０ａの後端で上方に突出させた器ストッパ突起、１１は連絡通路ブロック１の内部に設けた傾斜したメダル誘導路、１２は同メダル誘導路に接続されたメダルを排出するための前記連絡通路ブロック１の前面に前方下方に傾斜するように一体的に設けられたメダル払出ノズル、１２１は同メダル払出ノズルの側面にノズル方向に複数個設けた長さ調整用の係止穴、１４は連絡通路ブロック１を窓部１５と押え枠板１７との圧着で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を貸機前面に固着する押え枠板、１７１は同押え枠板の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビスである。上記１〜１８の符号は実施例１，２共通である。
【００４７】
図中、３０〜３３４の符号は実施例２のメダル貸機Ｇ２のメダル投入器３０に関する符号である。３０は皿状のメダル投入器、３０ａはその上方のメダル投入口、３０ｂはメダル投入器３０の器外周壁、３０ｃは器後壁、３０ｄはメダル投入器３０の下部中央に設けた一対のガイド片、３０ｅは器外周壁３０ｂの左右下端と器後壁３０ｃの後下端とのコーナー部に形成したストッパ片受凹部、３１はメダル投入器３０のメダル投入口３０ａの下方位置に設けたメダル落下口３１ａに向って低くなるメダル受面、３１ａはメダル受面３１に設けたメダル落下口である。又、３３は前記メダル投入口３０ａを閉鎖できる器外周壁３０ｂに枢着された蓋体、３３１はその枢着ピン、３３２はピン受、３３３はピン軸支部、３３４は蓋体３３の右側中央に張り出した把手である（図２７〜３１，３３〜４１参照）。
【００４８】
２４は連絡通路ブロック１の前部で前方下向きに突出した角筒状のメダル払出ノズル１２に脱着自在に嵌合して取付けるメダル送出シュートである。２４１はメダル払出ノズル１２に嵌装するメダル送出シュート２４の上部の角筒状のシュート筒、２４２は同シュート筒の先端に形成されたシュートを屈曲させる屈曲部２４３を形成する円形状の上下ある回転座面、２４３はシュート筒２４１の先端に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止穴１２１と係合してその嵌合長さを決める加圧片である。上記２４〜２４５の符号は実施例１，２に共通である。
【００４９】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアームを加圧して脱落しないようにする加圧片、２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。この２５〜２５２ｅの符号も実施例１，２の共通としている。
【００５０】
（実施例２の払出メダルの流れ）
払出メダルの流れは実施例１と同様であり、主に図２３〜３２，３７，４１〜４４に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て先端に設けられた小トレイ部２５へ送られ、ここに一時貯えられる。
【００５１】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５に設けた係止ピン（図示せず）が係合するメダル払出ノズル１２の側面の複数ある係止穴１２１を選択することでメダル払出ノズルの嵌合長さ（嵌合位置）を調整できる。
【００５２】
更に、メダル払出ノズル１２の先端の小トレイ部２５も小トレイスライド部２５２をスライドして所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００５３】
更に、小トレイ部２５の先端にはメダル開放ゲート２５２ｃが開閉自在に枢支されている。通常は開放ゲート２５２ｃを降ろして小トレイ部２５のトレイ側壁の一部を形成し、小トレイ部２５でメダルｍを一時貯えられるようにする。小トレイ部２５のメダルを遊技機Ｙのメダル受皿ＹＳへ移載するときは、ゲート枢支軸２５２ｄまわりに開放ゲート２５２ｃを回転させて開放ゲート２５２ｃを上方に持ち上げれば、小トレイ部２５のメダルはその開放ゲート２５２ｃがない吐出口２５２ｅからメダル受皿ＹＳへ移動が容易にできる。
又は、貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。まず、小トレイ部２５を貯部としてメダルを収納し、メダル受皿ＹＳのメダル数が少なくなれば、開放ゲート２５２ｃを持ち上げ、小トレイ部２５のメダルを指で押して小トレイ部２５のメダルを払い出すようにメダル受皿ＹＳへ移すようにできる。逆に、開放ゲート２５２ｃを開放して払出メダルを小トレイ部からメダル受皿へ移動させてもよい。そして、メダル受皿ＹＳがメダルで満杯になれば、開放ゲート２５２ｃを降ろして吐出口２５２ｅを閉鎖して、メダルがメダル受皿ＹＳから溢れることがないようにできる。
【００５４】
このように、メダル送出シュート２４はシュート筒２４１の進退による長さ調整と屈曲部２４３の回転角度調整及び小トレイ部２５のスライド調整することで、その先端の小トレイ部２５の位置を広い範囲で所定の位置に配置できる。これによって、メダル貸機Ｇ２と遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。これらは実施例１，２のメダル送出シュートで共通である。
【００５５】
（実施例２のメダル投入について）
メダル投入のメダルの流れ及び蓋の開閉とメダル投入器の動きは、主に図２３，２４，２５〜３１，３３〜３６，３８〜４０に示している。この実施例２のメダル投入の構造とメダルの流れは、実施例１のものと異にしている。
ゲームを清算する場合、又はメダル受皿ＹＳのメダルが多くなってメダルをメダル貸機Ｇ２へ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル投入器３０のメダル投入口３０ａへ投入する。通常、メダル投入口３０ａは図２５，２７，３７，４１，４２に示すように蓋体３３で閉鎖されている。しかも、図３６に示すようにメダル投入器３０及びその蓋体３３とも貸機ケーシングＫＣ内にそれらの後部が挿入されるようになっている。蓋体３３の後部は貸機前面壁ＫＣＦの窓部１５から貸機内に挿入していて、蓋体３３の後方上面は窓部１５の上の内周縁に当って蓋体３３が上方向へ回動することを止めている。これによって、蓋体３３のメダル投入口３０ａの閉鎖状態を保持する。このように、蓋体３３はこの位置でメダル投入口３０ａを閉鎖状態に保持して異物の投入ができない状態となっている。
【００５６】
メダル投入口３０ａにメダルを投入する場合は、遊技者は図３８，３９に示すようにメダル投入器３０を前方に引出すと蓋体３３は窓部１５の上内周縁からの拘束がなくなり、蓋体３３は枢着ピン３３１まわりに回動して開くことができる。蓋体３３を回動する際、蓋体３３の中央右側にある把手３３４に指を掛けて指を持ち上げれば、蓋体３３は容易に回動できる。そして、蓋体３３が回動すると略垂直の位置でメダル投入口３０ａの後方口縁上方位置に突設させた押え枠板１７の蓋体垂直ストッパ片１７２に当って、垂直又はやや左側に少し傾く略垂直で保持される。
蓋体３３を開いて垂直の状態にして、手の平内に収めたメダルｍをメダル投入口３０ａに落下させる（図３８，３９参照）。メダル投入口３０ａを超えて左方向に落下するメダルは垂直な蓋体３３の内面に当って右方向に返されて、メダル投入口３０ａに落下すること及びメダル投入口３０ａも前方に長くなることでメダルの零れが少なく、メダルｍをメダル投入口３０ａへ確実に投入できる。
【００５７】
メダル投入口３０ａ内に落下したメダルｍは、図２８〜３６，３８，３９に示すように後方と右側に低くなるように傾いたメダル受面３１に落下し、その傾斜に従って後方に滑りながらメダル投入器３０のメダル落下口３１ａからメダル排出路１０ｃへ落下し、貸機内のメダルカウンターＭＣへメダルを送る回収路ＫＡＩＲへ送り出す。
【００５８】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルは貸機下方に配装されたメダル回収コンベアＭＫＡＩへ送られる。
【００５９】
本実施例２のメダル貸機Ｇ２は、メダル投入口３０ａを前後させるのに、別体のメダル投入器３０の後方下部に設けた一対のガイド片３０ｄの間に連絡通路ブロック１の中央にある前後方向の縦の区画壁１０ａを挿入することで、メダル投入器３０を前後方向に安定的に移動可能にしている。メダル投入器３０は、連絡通路ブロック１のブロック外周壁１０の上端及び複数の区画壁上端１０ｂに置かれて摺動して前後できるようになっている。しかも、メダル投入器３０の押し込みはその後方下端のストッパ片受凹部３０ｅが連絡通路ブロック１のブロック外周壁１０の左右の上方後端の固定された器ストッパ突起１０ｅと当って停止される。又、図２８，３９に示すようにメダル投入器３０の引出しの停止は、その器後壁３０ｃの上端部分が押え枠板１７の開口１７１の上方開口周縁と当ってなされる。
【００６０】
このように、連絡通路ブロック１には前後進退するメダル投入器３０のメダル投入口３０ａと、その排出路及び払出メダルのメダル誘導路１１とその前面にメダル送出シュート２４を設け、これら機能をコンパクトに集約している。
【００６１】
図４５に示すメダル送出シュートの例は、前記実施例２のメダル払出ノズル１２に脱着自在に取付けたメダル送出シュート２４のシュート筒２４１の長さ，回動シュート２４４の長さが短いものに交換して嵌合した例であり、このように寸法が短いメダル送出ノズル２４に交換すれば、その先端の小トレイ部２５の貸機前面壁ＫＣＦからの前方位置を短くし、又その高さもやや高い位置にできるものとなる。このように、メダル送出シュート２４を前方下向きに突出したメダル払出ノズル１２に脱着自在にし、種々の寸法・形状のメダル送出シュートを用意すれば、前方寸法・高さ等の調整がメダル送出シュート２４の交換でできるようになる。
【産業上の利用可能性】
【００６２】
本発明は、メダルを使用したパチンコ機・スロットル機以外の遊技機の貸機としても使用できる。
【符号の説明】
【００６３】
Ｇ１，Ｇ２    実施例１，２のメダル貸機
ＭＨ    メダルホッパー
ＨＤ    払出機
ＫＣ    貸機ケーシング
ＭＲ    払出路
Ｙ    遊技機
ＹＳ    メダル受皿
ＭＣＯＮ    メダル供給コンベア
ＭＳ    メダル補給路
ＭＫＡＩ    メダル回収コンベア
ＭＣ    メダルカウンター
ＫＡＩＲ    回収路
ＳＴ    紙幣投入部
ＫＤＩＳ    表示器
ＫＣＯＮ    コンピュータ
ＫＣＦ    貸機前面壁
ＥＮＤＢ    清算ボタン
ＫＢ    貸出ボタン
ＲＷＣＡＲＤ    ＩＣカード読書装置
ｍ    メダル
１    連絡通路ブロック
１０    ブロック外周壁
１０ａ    区画壁
１０ｂ    区画壁上端
１０ｃ    メダル排出路
１０ｄ    滑面板
１０ｅ    器ストッパ突起
１１    メダル誘導路
１２    メダル払出ノズル
１２１    長さ調整用の係止穴
１３    管収納空間
１４    固定用張出片
１５    窓部
１７    押え枠板
１７１    開口
１７２    蓋体垂直ストッパ片
１８    サラビス
２０    メダル投入管
２０ａ    メダル投入口
２０ｂ    垂直管部
２０ｃ    傾斜管部
２０ｄ    メダル吐出路
２１    メダル受面
２２    メダル排出口
２３    蓋体
２３１    枢着ピン
２３２    ピン受
２３３    ピン軸支部
２３４    把手
２４    メダル送出シュート
２４１    シュート筒
２４２    シュート筒の回転座面
２４３    屈曲部
２４４    回動シュート
２４４ａ，２４４ｂ    回転盤
２４４ｃ    回転連結ねじ
２４５    加圧片
２５    小トレイ部
２５１    小トレイ固定部
２５１ａ    スライドアーム挿入空間
２５１ｂ    加圧片
２５２    小トレイスライド部
２５２ａ    スライドアーム
２５２ｂ    スライド底面
２５２ｃ    メダル開放ゲート
２５２ｄ    ゲート枢支軸
２５２ｅ    吐出口
３０    メダル投入器
３０ａ    メダル投入口
３０ｂ    器外周壁
３０ｃ    器後壁
３０ｄ    ガイド片
３０ｅ    ストッパ片受凹部
３１    メダル受面
３１ａ    メダル落下口
３３    蓋体
３３１    枢着ピン
３３２    ピン受
３３３    ピン軸支部
３３４    把手
【図１】
2018042912.tif 000003
【図２】
2018042912.tif 000004
【図３】
2018042912.tif 000005
【図４】
2018042912.tif 000006
【図５】
2018042912.tif 000007
【図６】
2018042912.tif 000008
【図７】
2018042912.tif 000009
【図８】
2018042912.tif 000010
【図９】
2018042912.tif 000011
【図１０】
2018042912.tif 000012
【図１１】
2018042912.tif 000013
【図１２】
2018042912.tif 000014
【図１３】
2018042912.tif 000015
【図１４】
2018042912.tif 000016
【図１５】
2018042912.tif 000017
【図１６】
2018042912.tif 000018
【図１７】
2018042912.tif 000019
【図１８】
2018042912.tif 000020
【図１９】
2018042912.tif 000021
【図２０】
2018042912.tif 000022
【図２１】
2018042912.tif 000023
【図２２】
2018042912.tif 000024
【図２３】
2018042912.tif 000025
【図２４】
2018042912.tif 000026
【図２５】
2018042912.tif 000027
【図２６】
2018042912.tif 000028
【図２７】
2018042912.tif 000029
【図２８】
2018042912.tif 000030
【図２９】
2018042912.tif 000031
【図３０】
2018042912.tif 000032
【図３１】
2018042912.tif 000033
【図３２】
2018042912.tif 000034
【図３３】
2018042912.tif 000035
【図３４】
2018042912.tif 000036
【図３５】
2018042912.tif 000037
【図３６】
2018042912.tif 000038
【図３７】
2018042912.tif 000039
【図３８】
2018042912.tif 000040
【図３９】
2018042912.tif 000041
【図４０】
2018042912.tif 000042
【図４１】
2018042912.tif 000043
【図４２】
2018042912.tif 000044
【図４３】
2018042912.tif 000045
【図４４】
2018042912.tif 000046
【図４５】
2018042912.tif 000047
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出し、同メダル送出シュート先端は隣接した遊技機のメダル受皿位置まで延伸可能としたメダル貸機に於いて、
前記メダル送出シュートの先端にはメダルを貯える小トレイ部を設けたものであり、しかも前記小トレイ部の側壁を構成する部材の一部が前記メダル受皿に向けて開放可能の構造とし、小トレイ部でメダルを貯えるか開放された側壁の位置からメダル受皿へ吐出するか切替えることができ、更に前記小トレイ部の長さが調整可能で、貯えるメダル数を増減できることを特徴とする、メダル貸機。
【請求項２】
貸機前面から前記メダル送出シュートの先端までの長さが調整可能とし、しかも同メダル送出シュートは中間で左右方向に屈曲可能又は湾曲可能とした構造とした、請求項１記載のメダル貸機。
【請求項３】
貸機前面に貸機内の払出路に接続された筒状のメダル払出ノズルを前方下向きに突出するように固設し、同メダル払出ノズルの筒状の先端部にメダル送出シュートの筒状の基端部を嵌合して脱着可能に連結できる構造とし、形状長さが異なるメダル送出シュートに交換して連結することで、メダル送出シュートの先端までの長さ及び先端位置を調整できるようにした、請求項１記載のメダル貸機。
【請求項４】
前記メダル払出ノズルの先端部に前記メダル送出シュートの基端部を嵌合する長さを前後方向に調整できるようにし、嵌合位置の調整でメダル送出シュートの先端までの長さを調整可能とした、請求項３記載のメダル貸機。
【請求項５】
メダル払出ノズルの先端部及びメダル送出シュートの基端部の嵌合部分の形状が角筒状である、請求項３又は４記載のメダル貸機。
【手続補正２】
【補正対象書類名】明細書
【補正対象項目名】０００８
【補正方法】変更
【補正の内容】
【０００８】
かかる課題を解決した本発明の構成は、
１）  メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に取付けられたメダル送出シュートへ送り出し、同メダル送出シュート先端は隣接した遊技機のメダル受皿位置まで延伸可能としたメダル貸機に於いて、
前記メダル送出シュートの先端にはメダルを貯える小トレイ部を設けたものであり、しかも前記小トレイ部の側壁を構成する部材の一部が前記メダル受皿に向けて開放可能の構造とし、小トレイ部でメダルを貯えるか開放された側壁の位置からメダル受皿へ吐出するか切替えることができ、更に前記小トレイ部の長さが調整可能で、貯えるメダル数を増減できることを特徴とする、メダル貸機
２）  貸機前面から前記メダル送出シュートの先端までの長さが調整可能とし、しかも同メダル送出シュートは中間で左右方向に屈曲可能又は湾曲可能とした構造とした、前記１）記載のメダル貸機
３）  貸機前面に貸機内の払出路に接続された筒状のメダル払出ノズルを前方下向きに突出するように固設し、同メダル払出ノズルの筒状の先端部にメダル送出シュートの筒状の基端部を嵌合して脱着可能に連結できる構造とし、形状長さが異なるメダル送出シュートに交換して連結することで、メダル送出シュートの先端までの長さ及び先端位置を調整できるようにした、前記１）記載のメダル貸機
４）  前記メダル払出ノズルの先端部に前記メダル送出シュートの基端部を嵌合する長さを前後方向に調整できるようにし、嵌合位置の調整でメダル送出シュートの先端までの長さを調整可能とした、前記３）記載のメダル貸機
５）  メダル払出ノズルの先端部及びメダル送出シュートの基端部の嵌合部分の形状が角筒状である、前記３）又は４）記載のメダル貸機
にある。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】